(57)【要約】【課題】蓋の折り曲げ操作時に、内容物が瞬時に飛散することを抑え、適度の噴出速度で抽出できるようにした分配包装体を提供する。【解決手段】表面の中央部にハーフカット部３を設けた折り曲げ線４を有する硬質材の蓋１と、その蓋１の表面に周縁部を固着され折り曲げ線４の両側にポケット部６、６を形成する可撓性部材の容器体５とからなり、それぞれのポケット部６、６は蓋１の折り曲げ線４の下方に位置する連通部７と連通してある包装体において、前記ポケット部６、６の所定域を蓋１の折り曲げ操作によりポケット部６、６の外方へ膨出可能な凹状の窪み部１０、１０として形成してある分配包装体Ｑとする。【選択図】図２
2006143322.tif 000002
【特許請求の範囲】
【請求項１】
表面の中央部にハーフカット部を設けた折り曲げ線を有する硬質材の蓋と、その蓋の裏面に周縁部を固着され折り曲げ線の両側にポケット部を形成する可撓性部材の容器体とからなり、それぞれのポケット部は蓋の折り曲げ線の下方に位置する連通部と連通してある包装体において、前記ポケット部の底面の所定域を蓋の折り曲げ操作によってポケット部の外方へ膨出可能な凹状の窪み部として形成してあることを特徴とする分配包装体。
【請求項２】
ポケット部の底面全域を窪み部として形成してある請求項１記載の分配包装体。
【請求項３】
前記窪み部の始端である屈曲外周縁の肉厚をポケット部のいずれの部所よりも薄肉に形成してある請求項１又は２記載の分配包装体。
【発明の詳細な説明】
【技術分野】
【０００１】  本発明は分配包装体に関し、詳しくは調味料や飲料等の飲食品、化粧品や薬品等の液状、ペースト状、顆粒状、或いは粉状を呈した内容物を包装した分配包装体であって、使用に際してはこの包装体を片手の指でつまんで折り曲げ操作することにより内容物を抽出できると共に抽出初めの最初の噴出速度を和らげて飛び散りを防止しながら抽出できる構造とした分配包装体に関する。
【背景技術】
【０００２】  従来、指でつまんで折り曲げ操作することにより内容物を簡単に抽出できる小型の分配包装体が提案されている。例えば特許文献１（特開昭６３−１６２４６０号公報）や特許文献２（実公平３−１４１９号公報）等に開示の包装体がそれである。すなわち、これらはいずれも、比較的堅固で平坦なシート状の蓋の裏面に、可撓性を有する容器体の周縁部を固着してポケット部を形成し、このポケット部の中に内容物を封入すると共に、蓋の裏面中央を通る軸線を該蓋を折り曲げやすいようにするために、ミシン目や蓋材の厚さの半分程に切れ目（ハーフカット）等を施した折り曲げ線を設け、さらに内容物の抽出を容易にするために該軸線の中心にはピラミッド状或いは円錐台状等の突起を形成した構造としてある。
そして、使用に際しては、該包装体を指間に挟み、その蓋の上記軸線を中心として該ポケット部の両側を圧するように蓋をＶ字型に折り曲げし、この蓋の折り曲げ線上に設けた突起等の破壊開口部から内容物を抽出するものである。【０００３】  尚、特許文献１記載の包装体は、蓋中央の折り曲げ線上の２ヶ所の部分に開口可能な突起部を設けてあり、該折り曲げ線を挟んで４個のポケット部を２個ずつ相対向して形成してあるが、相対向するポケット部同士は、折り曲げ線上の上記突起部の下方に設けた「接続壁」（連通部）を介して互いに連通する構造としてあり、その互いのポケット部の形状はほぼ同容積の相似形状としてある。また、特許文献２記載の包装体は、蓋中央の折り曲げ線上に２ヶ所の開口可能な突起部を設けてあり、該折り曲げ線を挟んで２個のポケット部を相対向して形成してあるが、夫々のポケット部は上記２ヶ所の突起部の下方にそれぞれ設けた連通部の異なった方へ連通する構造としてある。【０００４】
【特許文献１】特開昭６３−１６２４６０号公報
【特許文献２】実公平０３−１４１９号公報
【発明の開示】
【発明が解決しようとする課題】
【０００５】  しかしながら、これ等従来の分配包装体は図４の（イ）及び（ロ）の断面図に示すようにポケット部の底部を形成する可撓性部材の形状はその全体を平面状か又は丸く膨らんだ形状として成形されているために、使用に際して突起部を下方に向けて蓋をＶ字型に折り曲げるとポケット同士の衝接による急激な内圧増加が起こり、これによって折り曲げ線上に設けた突起部の破壊開口部から必要以上の勢いで内容物が飛散抽出される。このことが衣服や食卓まで汚してしまう原因の一つとなっていた。また、このことは老人や子供が使用するときに多く見受けられ、特に内容物が液状の時に顕著であった。
本発明は、上記従来の技術が有する問題を解決するためになされたもので、突起開口部を下方に向けて蓋をＶ字型に折り曲げて抽出操作をしても内容物が飛散せずに適度の噴出速度でその開口部から抽出できるようにした分配包装体を提供することを目的とする。
【課題を解決するための手段】
【０００６】  本発明の分配包装体は上記目的を達成するためになされたもので、表面の中央部にハーフカット部を設けた折り曲げ線を有する硬質材の蓋と、その蓋の裏面に周縁部を固着され折り曲げ線の両側にポケット部を形成する可撓性部材の容器体とからなり、それぞれのポケット部は蓋の折り曲げ線の下方に位置する連通部と連通してある包装体において、前記ポケット部の底面の所定域に蓋の折り曲げ操作によってポケットの外方へ膨出可能な凹状の窪み部を形成してあることを特徴とするものである。
このような構成にすることによって、蓋の折り曲げ操作によって蓋の裏面のポケット部同士が衝接し容器体内の圧力が上昇すると底面の窪み部がその始端の屈曲外周縁を境にして外方へ膨出し、上昇した容器体内圧力がその膨出部に吸収されるので、折り曲げ線上に形成される開口部に瞬間的に過度の圧力が集中して加わることがないのでよい。【０００７】  また、この際、窪み部の始端である屈曲外周縁の肉厚を窪み部の内壁やポケット部等のいずれの部所の肉厚よりも薄く形成してあると、よりスムーズに窪み部が膨出できるものとなり好ましい。
なお、本発明の分配包装体を製するに際して、容器体のポケット部の材質が可撓性部材であることから、窪み部の保形性を維持させるためにあらかじめその材質や形状、厚さ等を内容物の種類に合せて適宜選定し製するのがよいことは云うまでもないことである。
【発明の効果】
【０００８】  本発明の分配包装体はポケット部の内圧増加によって、凹み部が外方へ膨出する構造としてあるので、蓋の折り曲げ時に開口部に付与される瞬間的な大圧力が和らげられ内容物は適度な速度で抽出される。従って、蓋の折り曲げ時に内容物の飛び散りによる衣服や食卓の汚れの発生を未然に防ぐことができる。
【発明を実施するための最良の形態】
【０００９】  以下、本発明を図面に示す実施の形態を参照して説明する。
【実施例１】
【００１０】  図１（イ）は本発明分配包装体の一例を示す斜視図であり、同（ロ）はＸ−Ｘ線断面図、同（ハ）はＹ−Ｙ線断面図、同（ニ）は本発明分配包装体のその他の例を示す断面図、同（ホ）は使用状態を示す斜視図である。
図２は、本発明の分配包装体の一実施例を裏側から見た状態を示す斜視図であり、図３はその他の実施例を裏側から見た状態を示す斜視図である。
図４（イ）と（ロ）はポケットの底部形状が平面状と丸底状である従来の分配包装体の例を示す断面説明図である。
図１及び図２において、１は合成樹脂（例えばポリエチレン、ポリエチレンテレフタレート、或いはポリスチレン共重合体）等の折り曲げることができる程度の硬質材からなる厚さ３２５μｍの蓋であり、この蓋の表面中央の折り曲げ線（軸線とも言う）上にハーフカット３が施され蓋１の折り曲げ時にハーフカット３部が破断して開口部が形成される構造としてある。図中の５は、その周縁部を蓋１の裏面に固着させ固着域２とした軟質ポリエチレン或いはアルミ箔等の可撓性のあるシート部材からなる容器体であって、蓋１の折り曲げ線４の両側にポケット部６、６を形成し、それらを連通部７に連結した構造に形成されている（図１の（ロ）、（ハ）、（ニ）参照）。【００１１】  本実施例においては、容器体５は軟質ポリエチレン樹脂製シートを用いて、そのポケット部６、６の各部分の肉厚を次のように異なるものとして一体成形してある（図２参照）。すなわち、本実施例の分配包装体Ｑからランダムに１０００個をサンプル抽出しポケット部６、６の各部分の肉厚を測定したところ、ポケット部６、６の側壁９、９、９・・・の肉厚は１００μｍ、窪み部１０、１０の屈曲外周縁８、８の肉厚は４０μｍ以下、窪み部側壁１０’、１０’は６０μｍ程であった。このことは内容物の充填後に容器体５の元の形状を保持し、蓋１の折り曲げ操作によってはじめて窪み部１０、１０が膨出し易いように、屈曲外周縁８、８の肉厚を側壁９、９・・・や側壁１０’、１０’、１０’・・・）より薄くして成形されているものであるといえる。
なお、本発明に係る分配包装体の一実施例Ｑとその他の実施例Ｐの構造上の主たる相違点は、ポケット部６、６の底部全域を窪み部１０、１０とするか、または底面の一部を凹ませて窪み部１０、１０としてあるのかの点であり、その他の構造は同一としてあるので、図面上の同一箇所は同一の符号を付すことによって詳しい説明は省略する。このような構造からなる分配包装体Ｑ、Ｐのポケット部６、６には適宜の方法により、例えば、液状内容物Ａ、Ｂをそれぞれ封入しておく。【００１２】  以下、本発明分配包装体の作用を蓋１に突起１ａを形成した分配包装体Ｑの使用態様でもって説明する。分配包装体Ｑは以上の構成からなるので、ポケット部６、６に収容してある内容物Ａ、Ｂは蓋１の裏面と容器体５の上面との固着域２の部分で完全に密封されている。従って、内容物Ａ、Ｂを抽出するに際しては、まず分配包装体Ｑの蓋１を下側に向けその両端を折り曲げ線４を中心として指でつまみ、折り曲げ線４を介してその両側に形成したポケット部６、６を互いに引き寄せるようＶ字形に折り曲げる。ポケット部６、６同士が衝接することにより、その挟圧力でポケット部６、６内の圧力が高まり、窪み部１０、１０がポケット６、６の外方へ膨出される。これにより蓋１の折り曲げにより形成される吐出開口部へ加わる瞬間吐出圧力が弱められ、内容物Ａ、Ｂは抽出開始から適度の圧力で開口部から下方へスムーズに抽出される。この時、ポケット部６、６に占める窪み部１０、１０の面積は大きい程、吐出圧力を和らげる作用効果を大きくすることができるが、ポケット部６、６の材質や保形性、内容物の種類と充填量等の組み合わせにより、最適の大きさと形状の窪み部に定めるのがよいのは無論のことである。
【図面の簡単な説明】
【００１３】
【図１】  本発明分配包装体の一実施例を示すものであり、図１（イ）は斜視図、同（ロ）はＸ−Ｘ線断面図、同（ハ）はＹ−Ｙ線断面図、同（ニ）は本発明分配包装体のその他の例を示す断面図、図（ホ）は使用状態を示す斜視図。
【図２】  本発明分配包装体の一実施例を裏側から見た状態を示す斜視図。
【図３】  同、その他の実施例を裏側から見た斜視図。
【図４】  （イ）及び（ロ）は従来の分配包装体の断面説明図。
【符号の説明】
【００１４】  １．  蓋
１ａ．突起
２．  固着域
３．  ハーフカット部
４．  折り曲げ線
５．  容器体
６．  ポケット部
７．  連通部
８．  窪み部の屈曲外周縁
９．  外側壁
１０．窪み部
１０’窪み部の側壁
Ｑ．  分配包装体
Ｐ．  分配包装体
Ａ．  内容物
Ｂ．  内容物
【図１】
2006143322.tif 000003
2006143322.tif 000004
2006143322.tif 000005
【図２】
2006143322.tif 000006
【図３】
2006143322.tif 000007
【図４】
2006143322.tif 000008
2006143322.tif 000009